(57)【特許請求の範囲】
【請求項１】
タンク１からタンクヤード２および防液堤３を越えて地盤６の安定した基版７又は架台８上に敷設される配管４の海岸や河川に面する長手方向位置や暴風雨を受ける位置に設ける保護部材５であって、この保護部材５は配管４の側面から上面に渡ってなだらかに覆い被せる湾曲する保護カバー１５で形成し、当該保護カバー１５は、上記基版７上に着脱自在に固着した耐候性を有する膜状の部材であることを特徴とする敷設配管の保護構造。
【請求項２】
タンク１からタンクヤード２および防液堤３を越えて地盤６の安定した基版７又は架台８上に敷設される配管４の海岸や河川に面する長手方向位置や暴風雨を受ける位置に設ける保護部材５であって、この保護部材５は配管４の側面に渡ってなだらかに湾曲する保護ブロック２５で形成し、当該保護ブロック２５は、上記地盤６上にアンカーで固定したコンクリート又は鉄で製作した部材であることを特徴とする敷設配管の保護構造。
【請求項３】
上記保護カバー１５又は保護ブロック２５の内側に衝撃を緩和する緩衝部材９を設けた構造とし、上記緩衝部材９は、保護カバー１５の内側に介装した合成樹脂材で弾力性のある充填材１９であるか、又は保護ブロック２５の内側に固着した合成ゴムの弾力材２９であることを特徴とする請求項１又は２記載の敷設配管の保護構造。
【発明の詳細な説明】
【技術分野】
【０００１】
この発明は、石油など危険物の液体を貯蔵するタンクの敷設配管の保護構造に関するものである。
【背景技術】
【０００２】
図９に示すように、タンク１が設置されるタンクヤード２は、一般的に防液堤３に囲われ通路を隔てるなどして海岸や河川に面して設けられている。
タンク１に接続する受入れや払出しの配管４は防液堤３や通路に沿って敷設され、貯蔵液の払出しポンプ設備はタンクヤード２の近傍に設けられている。
【０００３】
図１０に示すように、受入れや払出しの配管４は防液堤３を乗越えてタンク１に接続されている。
この防液堤３の高さは、地震などの災害や事故などによってタンク１内の貯蔵液が漏出する場合に備えて、貯蔵液全量を収容できるように設計されている。
【０００４】
特許文献１（特開２００７−３０２２８１号公報）「地上構造物の津波対策工」には、従来例１の図１１に示すように、地上に設置された構造物１の外側に、自立式の津波防護柵２を、高さＨ１、Ｈ２に設定して設置することが開示されている。
【０００５】
特許文献２（特開２０１１−１８４９６０号公報）「波浪防護構造物」には、従来例２の図１２に示すように、陸側と海側を遮断し波浪４を堰き止めるように、複数本の支柱１と複数段の遮水パネル２を設けて、ワイヤ３で回転開放自在に形成した構成が開示されている。
【０００６】
また、本出願人による特許文献３の特願２０１１−１８４４８０号「防液堤一体型鋼板ライニング常圧コンクリートタンク」は、図示はしないが、地震や津波、洪水などタンク防液堤の外部からの災害に対して、タンク側板の座屈変形の防止や底板の浮上がりの防止、タンクが浮いたり流されたりすることがないように配慮したものである。
【先行技術文献】
【特許文献】
【０００７】
【特許文献１】特開２００７−３０２２８１号公報
【特許文献２】特開２０１１−１８４９６０号公報
【特許文献３】特願２０１１−１８４４８０号
【発明の概要】
【発明が解決しようとする課題】
【０００８】
図９及び図１０に示すように、海岸や河川に面して設けられている従来一般的なタンク１が設置されるタンクヤード２の防液堤３は、漏出する貯蔵液の収容を想定して高さが定められているが、タンク１に接続する受入れや払出しの配管４、及びタンクヤード２の近傍に設けられている貯蔵液の払出しポンプ設備に対しては、地震による地盤の液状化現象、豪雨や洪水などの災害、地震による津波災害に対しては配慮が十分ではない。そのため、配管設備に対する洪水や津波による損傷や、変形や座屈、或いは浮いたり流されたりするなどの被害を生ずる心配があった。
【０００９】
図１１に示す特許文献１（特開２００７−３０２２８１号公報）「地上構造物の津波対策工」には、地上に設置された構造物１の外側に、高さＨ１、Ｈ２に設定されて設置される自立式の津波防護柵２、及びグランドアンカー、桁材、補強リブなどが開示されているが、タンク配管についての防護体ではない。
【００１０】
図１２に示す特許文献２（特開２０１１−１８４９６０号公報）「波浪防護構造物」には、陸側と海側を遮断して波浪４を堰き止めるように、複数本の支柱１と複数段の遮水パネル２を設けて、ワイヤ３で回転開放自在に形成した構成が開示されているが、この従来技術の防護構造もタンク配管設備を覆う防護体構造を示すものではない。
【００１１】
本出願人による特許文献３の発明は、地震や津波、洪水などタンク防液堤の外部からの災害に対して、タンクへの防護対策を配慮したコンクリート防油堤兼用の鋼板ライニング常圧タンクであるが、タンクに付随する配管設備を防護するものではない。
【００１２】
この発明は上述のような従来技術が有する問題点に鑑みてなされたもので、その目的とするところは、地震や津波、洪水、暴風雨などによってタンク近傍に敷設された配管への災害に対して、配管が浮上がったり流されたり損傷などすることがないように、安全性を向上させた敷設配管の保護構造を提供する。
【課題を解決するための手段】
【００１４】
請求項１記載の敷設配管の保護構造は、タンク１からタンクヤード２および防液堤３を越えて地盤６の安定した基版７又は架台８上に敷設される配管４の海岸や河川に面する長手方向位置や暴風雨を受ける位置に設ける保護部材５であって、この保護部材５は配管４の側面から上面に渡ってなだらかに覆い被せる湾曲する保護カバー１５で形成し、当該保護カバー１５は、上記基版７上に着脱自在に固着した耐候性を有する膜状の部材であることを特徴とする。
【００１５】
請求項２記載の敷設配管の保護構造は、タンク１からタンクヤード２および防液堤３を越えて地盤６の安定した基版７又は架台８上に敷設される配管４の海岸や河川に面する長手方向位置や暴風雨を受ける位置に設ける保護部材５であって、この保護部材５は配管４の側面に渡ってなだらかに湾曲する保護ブロック２５で形成し、当該保護ブロック２５は、上記地盤６上にアンカーで固定したコンクリート又は鉄で製作した部材であることを特徴とする。
【００１６】
請求項３記載の敷設配管の保護構造は、上記請求項１又は２記載の保護カバー１５又は保護ブロック２５の内側に衝撃を緩和する緩衝部材９を設けた構造とし、上記緩衝部材９は、保護カバー１５の内側に介装した合成樹脂材で弾力性のある充填材１９であるか、又は保護ブロック２５の内側に固着した合成ゴムの弾力材２９であることを特徴とする。
【発明の効果】
【００１８】
請求項１記載の敷設配管の保護構造は、タンク１からタンクヤード２および防液堤３を越えて地盤６の安定した基版７又は架台８上に敷設される配管４の海岸や河川に面する長手方向位置や暴風雨を受ける位置に設ける保護部材５であって、この保護部材５は配管４の側面から上面に渡ってなだらかに覆い被せる湾曲する保護カバー１５で形成し、当該保護カバー１５は、上記基版７上に着脱自在に固着した耐候性を有する膜状の部材であるので、
配管４が地震による津波や、大雨による洪水で浮いたり流されたり変形や損傷をすることがなく、海岸、埋め立て地、低地、河川、湖沼など、地盤が良くない場所においても、地震や津波、洪水などによる配管４の切断や配管設備の倒壊を防ぐことができるため、液漏れやガス漏洩による火災や爆発などの災害を受けることがない。この保護カバー１５は、耐候性を有する膜状の部材で製作し、波が上部を抵抗なく乗り越えて波力や流速による荷重をなだらかに逃がすことができるため、配管４が津波や洪水で押し流されたりすることがない。保護カバー１５は、着脱自在構造であるためメンテナンスが簡単にできる。
保護カバー１５を架台８上に敷設された配管４に設置する場合は、当該保護カバー１５は配管４を架台８ごと覆うように設置し、波力や風力で損傷しないように取付けることが可能である。
【００１９】
請求項２記載の敷設配管の保護構造は、タンク１からタンクヤード２および防液堤３を越えて地盤６の安定した基版７又は架台８上に敷設される配管４の海岸や河川に面する長手方向位置や暴風雨を受ける位置に設ける保護部材５であって、この保護部材５は配管４の側面に渡ってなだらかに湾曲する保護ブロック２５で形成し、当該保護ブロック２５は、上記地盤６上にアンカーで固定したコンクリート又は鉄で製作した部材であるので、
配管４が地震による津波や、大雨による洪水で浮いたり流されたり変形や損傷をすることがなく、海岸、埋め立て地、低地、河川、湖沼など、地盤が良くない場所においても、地震や津波、洪水などによる配管４の切断や配管設備の倒壊を防ぐことができるため、液漏れやガス漏洩による火災や爆発などの災害を受けることがない。この保護ブロック２５は、波が配管４の上部を乗り越えるように湾曲させて形成しているため、配管４に直接波力や流速圧力がかかることがない。さらにこの保護ブロック２５は、比重の大きいコンクリートや鉄などの部材で製作し、地盤６から浮上らないようにアンカーなどで固定することにより、近傍の地盤６が津波や洪水で掘削される現象、つまり洗掘現象が生ずることがない。
保護ブロック２５を架台８上に敷設された配管４に設置する場合は、当該保護ブロック２５は架台８の上に設置された配管４の側面に至る高さに配置し、波力や風力で損傷しないように地盤６に固定することが可能である。
また、この保護ブロック２５の上端部をなだらかに幅を持たせた構造とすることにより、積載荷重に対する強度を高めた構造とすることが可能である。
さらに、架台８上に設置した配管４を保護ブロック２５Ａ、２５Ｂ及び配管４の上部を覆う保護ボード３５Ａ、３５Ｂで確りと保護する構造とすることにより、波力や風力に対して配管４を保護し耐久性を向上するとともに、地中への埋設配管に比べて補修や点検などのメンテナンスを容易に行うことが出来る。

【００２０】
請求項３記載の敷設配管の保護構造は、上記請求項１又は２記載の保護カバー１５又は保護ブロック２５の内側に衝撃を緩和する緩衝部材９を設けた構造とし、上記緩衝部材９は、保護カバー１５の内側に介装した合成樹脂材で弾力性のある充填材１９であるか、又は保護ブロック２５の内側に固着した合成ゴムの弾力材２９であるので、
波力や流速圧力が配管４に直接伝わることがないため、津波や洪水による衝撃力を緩和することができる。
【図面の簡単な説明】
【００２１】
【図１】本発明に係るタンクの敷設配管の保護部材の設置事例の斜視説明図である。
【図２】配管と保護カバーを示す説明図である。
【図３】配管と保護ブロックを示す説明図である。
【図４】架台上に敷設する配管と保護カバーを示す説明図である。
【図５】架台上に敷設する配管と保護ブロックを示す説明図である。
【図６】架台上に敷設する配管と保護ブロックの他の事例を示す説明図である。
【図７】緩衝部材の第１の事例を示す説明図である。
【図８】緩衝部材の第２の事例を示す説明図である。
【図９】従来一般のタンクヤードにおける防液堤と配管敷設状況を示す平面説明図である。
【図１０】従来技術のタンク配管の状況を示す斜視説明図である。
【図１１】先願特許文献１でタンク防液堤を示す説明図である。
【図１２】先願特許文献２で波浪への遮蔽用構造物を示す説明図である。
【発明を実施するための形態】
【００２２】
本発明に係る敷設配管の保護構造の実施形態例について図１から図８を参照しながら説明する。本発明は下記の実施形態にのみ限定されるものではない。本発明の要旨を逸脱しない範囲で下記の実施形態に変更（例えば構成要素の省略または付加、構成要素の形状の変更等）を加えることが出来るのはもちろんである。なお、図は概略を示すもので、一部のみを描き詳細構造は省略した。
【００２３】
図１は、本発明に係るタンク配管４に設置する保護部材５の実施形態例の斜視説明図で、１はタンク、２はタンクヤード、３は防液堤である。配管４はタンク１に接続する受入れ配管と払出し配管とからなり、防液堤３を越えて敷設されている。５は配管４を覆う保護部材で、殊に海岸や河川に面する長手方向位置や暴風雨を受ける位置、つまり波力や風力が働く方向に設ける。
このように、配管４が地震による津波や、大雨による洪水で浮いたり流されたりすることがなく、また、配管４が変形や倒壊したり切断や損傷をすることがない。
殊に海岸、埋め立て地、低地、河川、湖沼など、地盤が良くない場所において、地震や津波、洪水などによって配管の切断や配管設備の倒壊を防ぐことができるため、液漏れやガス漏洩による火災や爆発などの災害を受けることがない。
【００２４】
図２は、配管４と保護部材５として保護カバー１５の敷設事例を示す。
配管４は、地盤６の安定した基版７の上に設置し、配管４の側面から上面に渡ってなだらかに覆い被せる湾曲する保護カバー１５を基版７に着脱自在構造でメンテナンスができるように固定する。この保護カバー１５は、耐候性を有する膜状の部材で製作し、矢印で示すように波が上部を抵抗なく乗り越えるように形成する。
このように、波力や流速による荷重をなだらかに逃がすことができるため、配管４が津波や洪水で押し流されたりすることがない。
【００２５】
図３は、保護部材５として保護ブロック２５の敷設事例を示す。
保護ブロック２５は、配管４の側面と基版７の外周縁に接触させて地盤６の上部に配置する。この保護ブロック２５は、比重の大きいコンクリートや鉄などの部材で製作し、地盤６から浮上らないようにアンカーなどで固定する。
この保護ブロック２５は、矢印で示す波が配管４の上部を乗り越えるように湾曲させて形成する。
このように、配管４に直接波力や流速圧力がかかることなく、さらに近傍の地盤６が津波や洪水で掘削される現象、つまり洗掘現象が生ずることがない。
【００２６】
図４に示す保護カバー１５は、低い架台８の上に設置された配管４を架台８ごと覆うように設置する事例である。この保護カバー１５は、波力や風力で損傷しないように取付ける。矢印で示す波は、保護カバー１５の上部を抵抗なく乗り越える。
【００２７】
図５に示す保護ブロック２５Ａは、低い架台８の上に設置された配管４の側面に至る高さに配置する事例である。この保護ブロック２５Ａは、波力や風力で損傷しないように地盤６に固定する。矢印で示す波は、保護ブロック２５Ａと配管４の上部を乗り越える。一点鎖線で示す３５Ａは配管４の上部を覆う保護ボードで、必要に応じて設置する。
【００２８】
図６に示す保護ブロック２５Ｂは、低い架台８の上に設置された配管４の側面に至る高さに配置する他の事例である。この保護ブロック２５Ｂの上端部は、なだらかに幅を持たせて積載荷重に対する強度を高めた構造とし、波力や風力で損傷しないように地盤６に固定する。一点鎖線で示す３５Ｂは配管４の上部を覆う保護ボードで、必要に応じて固定設置する。矢印で示す波は、保護ブロック２５Ｂと保護ボード３５Ｂの上部を乗り越える。
【００２９】
図５及び図６に示すように、低い架台８上に設置した配管４を保護ブロック２５Ａ、２５Ｂ及び保護ボード３５Ａ、３５Ｂで確りと保護する構造は、波力や風力に対して配管４を保護し耐久性を向上するとともに、地中への埋設配管に比べて補修や点検などのメンテナンスを容易に行うことが出来る。
【００３０】
図７は、緩衝部材９の事例１を示す。
保護カバー１５の内側に合成樹脂材などの弾力性のある充填材１９を介装して、衝撃を緩和するように形成する。
このように、波力や流速圧力が配管４に直接伝わることがないため、津波や洪水による衝撃力を緩和することができる。
【００３１】
図８は、緩衝部材９の事例２を示す。
保護ブロック２５の内側に合成ゴム材などの弾力材２９を固着して、衝撃を緩和するように形成する。
このように、保護ブロック２５は弾力材２９を介して配管４に密着し、波力や流速圧力が直接伝わることがないため、津波や洪水による衝撃力を緩和することができる。
【産業上の利用可能性】
【００３２】
上記敷設配管の保護構造は、タンクの配管設備に採用するばかりでなく、地震時の耐震性能の向上、殊に外部からの津波対策などが望まれる配管設備や構築物にも適用することができる。
【符号の説明】
【００３３】
１タンク      
２タンクヤード      
３防液堤      
４配管      
５保護部材      
１５保護カバー      
２５、２５Ａ、２５Ｂ保護ブロック      
３５、３５Ａ、３５Ｂ保護ボード      
６地盤      
７基版      
８架台      
９緩衝部材      
１９充填材      
２９弾力材      
【図１】
0005995058.tif 000002
【図２】
0005995058.tif 000003
【図３】
0005995058.tif 000004
【図４】
0005995058.tif 000005
【図５】
0005995058.tif 000006
【図６】
0005995058.tif 000007
【図７】
0005995058.tif 000008
【図８】
0005995058.tif 000009
【図９】
0005995058.tif 000010
【図１０】
0005995058.tif 000011
【図１１】
0005995058.tif 000012
【図１２】
0005995058.tif 000013